(57)【要約】【課題】クレジットカードによる公営競技等の投票券の購入割合が増加した場合であっても、資金不足を発生させないようにする。【解決手段】投票装置１００は、クレジット投票サービスの会員データ、レースの年間スケジュール、過去の投票サービスの売上実績のデータに基づいて、クレジット投票による投票券の予想売上を算出し、予想売上から資金不足が予想される金額を算出して、その資金不足分の金額の借り入れをファイナンス会社の融資業務装置５００に対して要求し、融資を受ける。レース終了後、投票装置１００は、クレジット投票による当たり投票券の購入者に払戻しを行なう。クレジット会社からの入金日に、投票業務委託者が投票券の購入金額の支払を受けると、投票装置１００から銀行の金融装置へ振込指示を行ない、ファイナンス会社へ融資を受けた借入金を返済する。【選択図】図１
2010086058.tif 000002
【特許請求の範囲】
【請求項１】
競技の投票券の販売を行なう投票装置と、金融取引処理を行う金融機関装置と、融資業務処理を行う融資業務装置と、競技主催者の主催者装置と、前記投票券の購入者が操作する端末装置とをネットワークを介して接続してなる投票システムであって、
前記投票装置は、
クレジットカード払いにより投票券の購入が可能な会員の会員識別情報及び払戻口座の情報を示す会員データと、
競技の開催スケジュールと、
過去に前記競技が行なわれたときの実績売上金額、及び、クレジットカード払いによる投票券の購入人数の情報と
を記憶する記憶部と、
前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部と、
前記需要予測部により算出された融資額を設定した融資要求を前記融資業務装置へ出力する資金調達部と、
前記端末装置から、会員識別情報と、投票内容及び投票金額との情報を受信し、投票データとして前記記憶部に記憶する投票受付部と、
前記主催者装置から、払戻対象の投票内容及び払戻率の情報が設定された競技結果情報を受信し、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部と、
前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を前記金融機関装置へ出力する払戻部と、
前記記憶部に記憶されている前記投票データ内の投票金額を合計して売上金額を算出し、競技主催者の口座の情報と、算出した売上金額に対する主催者収入分の金額の情報とを設定した振込指示を前記金融機関装置へ出力する払込部と、
を備え、
前記融資業務装置は、
前記投票装置から受信した前記融資要求内の融資額と、融資先の口座の情報とを設定した振込指示を前記金融機関装置へ出力する融資部を備え、
前記端末装置は、
購入者が入力した会員識別情報と、投票内容及び投票金額とを送信する処理部を備え、
前記主催者装置は、
前記競技結果情報を前記投票装置に送信する結果通知部を備え、
前記金融機関装置は、
受信した振込指示により示される口座に、当該振込指示により示される金額を振込む取引処理部を備える、
ことを特徴とする投票システム。
【請求項２】
クレジットカード払いにより投票券の購入が可能な会員の会員識別情報及び払戻口座の情報を示す会員データと、
競技の開催スケジュールと、
過去に前記競技が行なわれたときの実績売上金額、及び、クレジットカード払いによる投票券の購入人数の情報と
を記憶する記憶部と、
前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部と、
前記需要予測部により算出された融資額を設定した融資要求を融資業務装置へ出力する資金調達部と、
端末装置から、会員識別情報と、投票内容及び投票金額との情報を受信し、投票データとして前記記憶部に記憶する投票受付部と、
払戻対象の投票内容及び払戻率の情報が設定された競技結果情報の入力を受け、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部と、
前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を金融機関装置へ出力する払戻部と、
前記記憶部に記憶されている前記投票データ内の投票金額を合計して売上金額を算出し、競技主催者の口座の情報と、算出した売上金額に対する主催者収入分の金額の情報とを設定した振込指示を金融機関装置へ出力する払込部と、
を備えることを特徴とする投票装置。
【請求項３】
前記記憶部は、
競技の開催スケジュールと、過去に前記競技が行なわれたときの実績売上金額、及び、クレジットカード払いによる投票券の購入人数の情報とを競技の種類毎に記憶し、
前記需要予測部は、所定の融資対象期間に行なわれる競技とその種類を特定するとともに、競技の種類毎に、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した全ての競技の種類についての予測売上を合計して全体の予測売上を算出する、
ことを特徴とする請求項２に記載の投票装置。
【請求項４】
前記需要予測部は、前記実績売上金額及び前記購入人数から一人当たりの購入金額を算出し、算出した一人当たりの購入金額と、前記購入人数に基づく投票参加見込み人数とから、所定の算出式により予測売上額を算出する、
ことを特徴とする請求項２または請求項３に記載の投票装置。
【請求項５】
前記記憶部は、増加会員数の情報をさらに記憶し、
前記需要予測部は、前記記憶部から読み出した増加会員数と、前記購入人数の情報とから前記投票参加見込み人数を算出する、
ことを特徴とする請求項４に記載の投票装置。
【請求項６】
前記需要予測部は、前記売上金額の全額に、あるいは、前記売上金額のうちの当たり投票券への払戻分の金額に、所定のリスク係数を乗算することにより前記融資額を算出することを特徴とする請求項２から請求項５のいずれかの項に記載の投票装置。
【請求項７】
前記払戻部は、前記端末装置から、会員識別情報と、払戻要求とを受信し、前記記憶部から受信した会員識別情報に対応した投票データを特定し、特定した投票データに付加されている払戻金額の支払を前記端末装置へ指示する、
ことを特徴とする請求項２から請求項６のいずれかの項に記載の投票装置。
【請求項８】
前記記憶部は、前記会員識別情報に対応して、クレジットカード払いにより購入可能な金額を示す利用可能金額の情報をさらに記憶し、
前記投票受付部は、受信した前記投票金額が、受信した前記会員識別情報に対応して前記記憶部から読み出した利用可能金額以内であるときに投票券の販売を許可し、
前記払戻部は、前記記憶部に記憶されている、前記特定した投票データ内の会員識別情報に対応した利用可能金額の情報を、前記払戻金額を加算した金額を示す情報に書き換える、
ことを特徴とする請求項２から請求項７のいずれかの項に記載の投票装置。
【請求項９】
投票装置として用いられるコンピュータを、
クレジットカード払いにより投票券の購入が可能な会員の会員識別情報及び払戻口座の情報を示す会員データと、
競技の開催スケジュールと、
過去に前記競技が行なわれたときの実績売上金額、及び、クレジットカード払いによる投票券の購入人数の情報と
を記憶する記憶部、
前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部、
前記需要予測部により算出された融資額を設定した融資要求を融資業務装置へ出力する資金調達部、
端末装置から、会員識別情報と、投票内容及び投票金額との情報を受信し、投票データとして前記記憶部に記憶する投票受付部、
払戻対象の投票内容及び払戻率の情報が設定された競技結果情報の入力を受け、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部、
前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を金融機関装置へ出力する払戻部、
前記記憶部に記憶されている前記投票データ内の投票金額を合計して売上金額を算出し、競技主催者の口座の情報と、算出した売上金額に対する主催者収入分の金額の情報とを設定した振込指示を金融機関装置へ出力する払込部、
として機能させることを特徴とするコンピュータプログラム。
【発明の詳細な説明】
【技術分野】
【０００１】
本発明は、公営競技等への投票に用いられる投票システム、投票装置及びコンピュータプログラムに関する。
【背景技術】
【０００２】
一般に、競馬や競艇、競輪、オートレースなどの公営競技等では、投票券の売上のうち、所定の割合分を当たり投票券の購入者へ払戻し、その残りを主催者側の収入としている。
一方、特許文献１〜４には、電子マネーやデビットカード、クレジットカードを投票券を購入する際の支払いに用いることができる投票システムについて開示されている。
【特許文献１】特開平１１−１７５６３５号公報
【特許文献２】特開平９−５４８０４号公報
【特許文献３】特開平１１−３３８９４９号公報
【特許文献４】特許第３９７４７３５号公報
【発明の開示】
【発明が解決しようとする課題】
【０００３】
近年、多くの人がクレジットカードを所有しており、その利便性から、クレジットカード払いにより投票券を購入したいという要望が高まっている。
しかし、クレジットカード会社からクレジットカードサービス加盟店への入金は月に１〜２回であることが多い。つまり、購入者がクレジットカード払いで投票券を購入した場合、購入代金は投票業務委託者へは即時に入金されず、購入から数日後に入金されることになる。その一方、当たり投票券への払戻しは即座に行なわなければならない。このため、投票業務委託者において、資金不足が発生してしまうおそれがある。
【０００４】
例えば、ある公営競技において、売上の７５％を当たり投票券の購入者へ払戻しているとする。このとき、クレジットカード払いにより購入された投票券の売上が全体の２５％を超えると、投票券の売上全体のうち、競技終了からクレジットカード会社からの入金までの間、投票業務委託者が運用可能な資金は、実際の売上の７５％を下回ってしまうことになる。この入金までの間に、当たり投票券の払戻しを行なうと、投票業務委託者は資金不足に陥ってしまい、払戻しができないという状態が発生しうる。また、売上の２５％は主催者に支払われるが、その支払タイミングにおいて、クレジットカード払いの売上が全て入金されていない場合には、やはり投票業務委託者は資金不足となってしまう。しかし、上述した特許文献１〜４は、このような問題を解決するものではない。
【０００５】
本発明は、上記の事情に鑑みてなされたものであり、公営競技等の投票券販売及び払戻しの業務の運営において、クレジットカードによる投票券の購入割合が増加した場合であっても、資金不足を発生させることのない投票システム、投票装置、及び、コンピュータプログラムを提供することを目的とする。
【課題を解決するための手段】
【０００６】
上記課題を解決するため、本発明は、競技の投票券の販売を行なう投票装置と、金融取引処理を行う金融機関装置と、融資業務処理を行う融資業務装置と、競技主催者の主催者装置と、前記投票券の購入者が操作する端末装置とをネットワークを介して接続してなる投票システムであって、前記投票装置は、クレジットカード払いにより投票券の購入が可能な会員の会員識別情報及び払戻口座の情報を示す会員データと、競技の開催スケジュールと、過去に前記競技が行なわれたときの実績売上金額、及び、クレジットカード払いによる投票券の購入人数の情報とを記憶する記憶部と、前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部と、前記需要予測部により算出された融資額を設定した融資要求を前記融資業務装置へ出力する資金調達部と、前記端末装置から、会員識別情報と、投票内容及び投票金額との情報を受信し、投票データとして前記記憶部に記憶する投票受付部と、前記主催者装置から、払戻対象の投票内容及び払戻率の情報が設定された競技結果情報を受信し、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部と、前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を前記金融機関装置へ出力する払戻部と、前記記憶部に記憶されている前記投票データ内の投票金額を合計して売上金額を算出し、競技主催者の口座の情報と、算出した売上金額に対する主催者収入分の金額の情報とを設定した振込指示を前記金融機関装置へ出力する払込部と、を備え、前記融資業務装置は、前記投票装置から受信した前記融資要求内の融資額と、融資先の口座の情報とを設定した振込指示を前記金融機関装置へ出力する融資部を備え、前記端末装置は、購入者が入力した会員識別情報と、投票内容及び投票金額とを送信する処理部を備え、前記主催者装置は、前記競技結果情報を前記投票装置に送信する結果通知部を備え、前記金融機関装置は、受信した振込指示により示される口座に、当該振込指示により示される金額を振込む取引処理部を備える、ことを特徴とする投票システムである。
【０００７】
また、本発明は、クレジットカード払いにより投票券の購入が可能な会員の会員識別情報及び払戻口座の情報を示す会員データと、競技の開催スケジュールと、過去に前記競技が行なわれたときの実績売上金額、及び、クレジットカード払いによる投票券の購入人数の情報とを記憶する記憶部と、前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部と、前記需要予測部により算出された融資額を設定した融資要求を融資業務装置へ出力する資金調達部と、端末装置から、会員識別情報と、投票内容及び投票金額との情報を受信し、投票データとして前記記憶部に記憶する投票受付部と、払戻対象の投票内容及び払戻率の情報が設定された競技結果情報の入力を受け、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部と、前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を金融機関装置へ出力する払戻部と、前記記憶部に記憶されている前記投票データ内の投票金額を合計して売上金額を算出し、競技主催者の口座の情報と、算出した売上金額に対する主催者収入分の金額の情報とを設定した振込指示を金融機関装置へ出力する払込部と、を備えることを特徴とする投票装置である。
【０００８】
また、本発明は、上述する投票装置において、前記記憶部は、競技の開催スケジュールと、過去に前記競技が行なわれたときの実績売上金額、及び、クレジットカード払いによる投票券の購入人数の情報とを競技の種類毎に記憶し、前記需要予測部は、所定の融資対象期間に行なわれる競技とその種類を特定するとともに、競技の種類毎に、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した全ての競技の種類についての予測売上を合計して全体の予測売上を算出する、ことを特徴とする。
【０００９】
また、本発明は、上述する投票装置において、前記需要予測部は、前記実績売上金額及び前記購入人数から一人当たりの購入金額を算出し、算出した一人当たりの購入金額と、前記購入人数に基づく投票参加見込み人数とから、所定の算出式により予測売上額を算出する、ことを特徴とする。
【００１０】
また、本発明は、上述する投票装置において、前記記憶部は、増加会員数の情報をさらに記憶し、前記需要予測部は、前記記憶部から読み出した増加会員数と、前記購入人数の情報とから前記投票参加見込み人数を算出する、ことを特徴とする。
【００１１】
また、本発明は、上述する投票装置において、前記需要予測部は、前記売上金額の全額に、あるいは、前記売上金額のうちの当たり投票券への払戻分の金額に、所定のリスク係数を乗算することにより前記融資額を算出することを特徴とする。
【００１２】
また、本発明は、上述する投票装置において、前記払戻部は、前記端末装置から、会員識別情報と、払戻要求とを受信し、前記記憶部から受信した会員識別情報に対応した投票データを特定し、特定した投票データに付加されている払戻金額の支払を前記端末装置へ指示する、ことを特徴とする。
【００１３】
また、本発明は、上述する投票装置において、前記記憶部は、前記会員識別情報に対応して、クレジットカード払いにより購入可能な金額を示す利用可能金額の情報をさらに記憶し、前記投票受付部は、受信した前記投票金額が、受信した前記会員識別情報に対応して前記記憶部から読み出した利用可能金額以内であるときに投票券の販売を許可し、前記払戻部は、前記記憶部に記憶されている、前記特定した投票データ内の会員識別情報に対応した利用可能金額の情報を、前記払戻金額を加算した金額を示す情報に書き換える、ことを特徴とする。
【００１４】
また、本発明は、投票装置として用いられるコンピュータを、クレジットカード払いにより投票券の購入が可能な会員の会員識別情報及び払戻口座の情報を示す会員データと、競技の開催スケジュールと、過去に前記競技が行なわれたときの実績売上金額、及び、クレジットカード払いによる投票券の購入人数の情報とを記憶する記憶部、前記記憶部に記憶されている前記開催スケジュールを参照して、融資対象期間に行なわれる競技を特定するとともに、特定した競技に対応した実績売上金額及び購入人数の情報を前記記憶部から読み出し、読み出した実績売上金額及び購入人数から所定の算出式によりクレジットカード払いによる投票券の予測売上額を算出し、算出した予測売上に基づいて融資額を決定する需要予測部、前記需要予測部により算出された融資額を設定した融資要求を融資業務装置へ出力する資金調達部、端末装置から、会員識別情報と、投票内容及び投票金額との情報を受信し、投票データとして前記記憶部に記憶する投票受付部、払戻対象の投票内容及び払戻率の情報が設定された競技結果情報の入力を受け、前記記憶部に記憶されている前記投票データから、前記競技結果情報内の払戻対象の投票内容が設定されている投票データを特定し、特定した投票データ内の投票金額と、前記競技結果情報内の払戻率とから払戻金額を算出し、算出した払戻金額を当該投票データに付加して前記記憶部に記憶する投票結果判定部、前記記憶部を参照して、前記投票結果判定部により払戻金額が付加された投票データを特定し、特定した投票データ内の会員識別情報に対応した会員データから払戻口座の情報を読み出し、読み出した払戻口座の情報と、前記払戻金額の情報とを設定した振込指示を金融機関装置へ出力する払戻部、前記記憶部に記憶されている前記投票データ内の投票金額を合計して売上金額を算出し、競技主催者の口座の情報と、算出した売上金額に対する主催者収入分の金額の情報とを設定した振込指示を金融機関装置へ出力する払込部、として機能させることを特徴とするコンピュータプログラムである。
【発明の効果】
【００１５】
本発明によれば、クレジットカード払いにより購入される投票券の予想売上から不足が見込まれる資金を算出し、その不足見込みの資金分だけの借り入れを競技開始前に行なう。よって、クレジットカードを利用した投票券の購入割合が増加した場合であっても、資金不足を発生させずに、また、借り入れを多くしすぎることなく、当たり投票券購入者への払戻しや、主催者収入分の支払いを行なうことができる。
【発明を実施するための最良の形態】
【００１６】
以下、図面を参照して本発明の実施形態の例について説明する。
図１は、本発明の一実施形態による投票システムを用いた投票サービスの業務の流れについて説明する図である。本投票システムは、公営競技、例えば、競馬、競艇、競輪、オートレース等の投票サービスに用いられるが、以下では、競馬の投票サービスを例にして説明する。なお、点線は図示しない金融装置へ振込指示を通して支払が行なわれることを示している。
【００１７】
競技の主催者から投票業務を委託された投票業務委託者は、クレジットカード払いにより投票券の購入が可能なクレジット投票サービスを提供するにあたり、払戻金用資金の事前準備が必要となる。これは、購入者が投票券を購入したときの売上金がクレジットカード会社を経由して投票業務委託者に支払われるため、即時入金されない一方、当たり投票券を購入したユーザには即時に払戻しを行なうためである。
【００１８】
よって、以下のようなケースの場合、払戻金の資金不足が発生する。
（ケース１）クレジットカード払いにより投票券を購入する購入者が予測以上に増加して投票金額が伸び、その結果、払戻金額が予測を上回るケース。
（ケース２）グレードレースが多いために、クレジットカード払いにより投票券を購入する購入者が予測を上回るケース。
（ケース３）グレードレースが多いために、クレジットカード払いにより投票券を購入する購入者一人当たりの投票単価が予測を上回るケース。
（ケース４）クレジットカード払いにより投票券を購入する購入者の的中率が高く、払戻金が集中するケース。
（ケース５）クレジットカード払いによる投票券の売上に払戻率を乗算した金額が、現金による投票券の売上を超えるケース。特に、場外投票所においては、払戻のための現金が不足する。
【００１９】
そこで、投票業務委託者は、クレジットカード払いにより投票券を購入（以下、「クレジット投票」と記載）する購入者への払戻金の資金需要を予測し、その予測にリスク分を上乗せした融資額を決定して、予め借り入れを行なうことで当座の資金を準備し、払戻し不可の状態、つまり、資金ショートにさせないようにする。また、借り入れした資金に基づいて、場外投票所端末で不足が予測される現金を予めセットしておく。
【００２０】
図１において、まず、クレジット投票を希望する購入者は、投票業務委託者が提供するクレジット投票サービスに加入する。クレジット投票サービスの会員データは、投票業務委託者の投票装置１００に登録される。また、投票装置１００には、レースの年間スケジュール、過去の投票サービスの売上実績等に関するデータも保持されている。投票装置１００はレースの開催前に、これらのデータに基づいて、クレジット投票による投票券の予想売上を算出する（ステップＳ１）。投票装置１００は、予想売上に基づいて融資額を決定し、ファイナンス会社の融資業務装置５００に対して借り入れを要求する（ステップＳ２）。融資業務装置５００から銀行の金融装置へ融資額の振込指示が行なわれることにより、投票業務委託者は、融資を受ける（ステップＳ３）。
【００２１】
購入者は、自宅などから自身のパーソナルコンピュータなどの購入者端末２００を用いて、あるいは、場外投票所に設置されている場外投票所端末３００を用いて、投票装置１００へクレジットカード払いによる投票券の購入を要求する（ステップＳ４、Ｓ４’）。投票装置１００は、クレジット会社等のクレジットサービス装置４００に対して、与信処理を要求する（ステップＳ５）。クレジットサービス装置４００は、購入者のクレジットカードの与信処理を行うと、その結果を返送する（ステップＳ６）。投票装置１００は、与信処理が成功であった場合、投票券を発行する。
【００２２】
レース終了後、投票装置１００は、当たり投票券を購入した購入者に対して、払戻金を払戻す（ステップＳ７、Ｓ７’）。払戻は口座振込等により行なうが、場外投票所端末３００により現金で払戻を行なうこともできる。
【００２３】
後日、クレジット会社からクレジットカードサービス加盟店への入金日に、クレジットサービス装置４００から銀行の金融装置へ振込指示が行なわれることにより、投票業務委託者へ、投票券の売上が入金される（ステップＳ８）。そして、投票装置１００から銀行の金融装置へ振込指示が行なわれることにより、投票業務委託者からファイナンス会社へ、ステップＳ３において融資を受けた借入金が返済され（ステップＳ９）、競技の主催者へ主催者分の収入が支払われる（ステップＳ１０）。例えば、当たり投票券の購入者への払戻率を投票券の売上の７５％とすると、主催者への支払率は２５％となる。
【００２４】
図２は、本発明の一実施形態による投票システムの接続構成を示す図であり、各装置については本発明に関する機能ブロックのみを抽出して示している。
同図において、投票業務委託者の投票装置１００は、インターネットなどのネットワーク９０１を介して、購入者の購入者端末２００、及び、場外投票所に設置された場外投票所端末３００と接続され、専用線などのネットワーク９０３を介して主催者装置６００と接続される。さらに、投票装置１００は、セキュアなネットワーク９０２を介して、ファイナンス会社の融資業務装置５００、クレジットカード会社のクレジットサービス装置４００、及び、銀行の金融装置７００と接続される。以下では、ファイナンス会社が口座を設けている銀行を銀行Ａ、投票業務委託者が口座を設けている銀行を銀行Ｂ、購入者が口座を設けている銀行を銀行Ｃ、主催者が口座を設けている銀行を銀行Ｄ、クレジットカード会社が口座を設けている銀行を銀行Ｅとし、銀行Ａ、Ｂ、Ｃ、Ｄ、Ｅが保有する金融装置７００をそれぞれ金融装置７００ａ、７００ｂ、７００ｃ、７００ｄ、７００ｅとする。
【００２５】
購入者端末２００は、例えば、購入者のパーソナルコンピュータや携帯電話などのコンピュータ端末であり、通信部２１０、入力部２２０、表示部２３０、処理部２４０を備える。通信部２１０は、ネットワーク９０１を介して情報を送受信する。入力部２２０は、キーボードやマウス、ボタンなどであり、利用者の操作による情報の入力を受ける。表示部２３０は、ＬＣＤ（Liquid Crystal Display）などのディスプレイである。処理部２４０は、入力部２２０により入力された情報を投票装置１００へ送信したり、投票装置１００から受信した情報を表示部２３０へ出力させたりする。
【００２６】
場外投票所端末３００は、通信部３１０、入力部３２０、カード読取部３３０、表示部３４０、発券部３５０、返金部３６０、制御部３７０を備える。通信部３１０は、ネットワーク９０１を介して情報を送受信する。入力部３２０は、キーやボタン、タッチパネルなどであり、利用者の操作による情報の入力を受ける。カード読取部３３０は、クレジットカードを読み取る。発券部３５０は、投票券を発券する。返金部３６０は、払戻分の現金を払い出す。制御部３７０は、各部を制御する。
【００２７】
クレジットカード会社のクレジットサービス装置４００は、例えば、１または複数のサーバで構成することができ、通信部４１０、記憶部４２０、与信処理部４３０、売上記録部４４０、振込部４５０、引落部４６０を備える。通信部４１０は、ネットワーク９０２を介して情報を送受信する。記憶部４２０は、クレジットカードの名義人、カードが有効であるか否か、クレジットカード利用限度枠及び現在の利用額、クレジット投票の利用限度枠及び現在の利用額などを示す顧客情報や、クレジットカードの売上データなど、クレジットカードの正当性や取引に関する情報を記憶する。与信処理部４３０は、記憶部４２０内に記憶されている情報に基づいて与信処理を行う。売上記録部４４０は、クレジットカードの売上データを読み込んで、記憶部４２０へ書き込む。振込部４５０は、売上データに基づいてクレジットカードの売上を算出し、金融装置７００ｅに対して金融装置７００ｂに売上の振込を行なうよう、すなわち、クレジットカード会社の口座（銀行Ｅ）から投票業務委託者の口座（銀行Ｂ）に売上の振込を行なうよう指示する。引落部４６０は、購入者の口座からクレジットカード払いの請求料金の引き落としを金融装置７００ｅへ指示する。
【００２８】
融資業務装置５００は、例えば、１または複数のサーバで構成することができ、通信部５１０、融資要求受信部５２０、融資部５３０を備える。通信部５１０は、ネットワーク９０２を介してデータを送受信する。融資要求受信部５２０は、投票装置１００から融資の要求を受信する。融資部５３０は、金融装置７００ａに対して、金融装置７００ｂに融資額の振込を行なうよう、すなわち、ファイナンス会社の口座（銀行Ａ）から投票業務委託者の口座（銀行Ｂ）に融資額の振込を行なうよう指示する。
【００２９】
主催者装置６００は、例えば、１または複数のサーバで構成することができ、通信部６１０、発券要求受信部６２０、予想配当通知部６３０、結果通知部６４０を備える。通信部６１０は、ネットワーク９０３を介してデータを送受信する。発券要求受信部６２０は、投票装置１００からの発券要求を受付ける。予想配当通知部６３０は、現在の予想配当の情報を投票装置１００へ通知する。結果通知部６４０は、レース結果の情報を投票装置１００へ通知する。
【００３０】
銀行の金融装置７００は、例えば、１または複数のサーバで構成することができ、通信部７１０と取引処理部７２０を備える。通信部７１０は、ネットワーク９０２を介してデータを送受信する。取引処理部７２０は、振込等の金融取引のトランザクション処理を実行する。
【００３１】
図３は、投票装置１００の内部構成を示すブロック図であり、本発明に関する構成のみを抽出して示している。同図において、投票装置１００は、通信部１１０、記憶部１２０、処理部１３０を備える。
【００３２】
通信部１１０は、ネットワーク９０１、９０２、９０３を介してデータの送受信を行なう。記憶部１２０は、会員データ記憶部１２１、スケジュール記憶部１２２、売上実績記憶部１２３、会員売上実績記憶部１２４、購入データ記憶部１２５及び投票データ記憶部１２６を備える。会員データ記憶部１２１は、クレジット投票会員の会員データを記憶する。スケジュール記憶部１２２は、レースの開催予定スケジュールを示すデータを記憶する。売上実績記憶部１２３は、クレジット投票サービス以外の支払方法を用いたときの投票券の売上実績を示すデータを記憶する。これは、例えば、クレジット投票サービスが開始間もないため、クレジット投票会員の実績データが少ないときに需要予測のために使用する。会員売上実績記憶部１２４は、クレジット投票会員による投票券の売上実績を示すデータを記憶する。購入データ記憶部１２５は、投票券の購入日に、クレジット投票会員が利用可能な金額や、購入に使用した金額等、払戻金額等を示す購入データを記憶する。投票データ記憶部１２６は、クレジット投票会員が購入した投票券のデータを示す。
【００３３】
処理部１３０は、登録部１３１、需要予測部１３２、資金調達部１３３、与信残額確認部１３４、投票受付部１３５、投票結果判定部１３６、払戻部１３７、売上出力部１３８、振込部１３９、返済部１４０を備える。
【００３４】
登録部１３１は、クレジット投票会員の会員データを会員データ記憶部１２１へ書き込む。需要予測部１３２は、会員データから得られるクレジット投票会員の会員数、スケジュール記憶部１２２内のデータから得られるレースの開催予定、売上実績記憶部１２３または会員売上実績記憶部１２４から得られる過去のレースの売上等から、クレジット投票会員の予想売上を算出し、この予想売上から融資額を算出する。資金調達部１３３は、需要予測部１３２により算出された融資額の融資を融資業務装置５００に要求する。
【００３５】
与信残額確認部１３４は、クレジット投票に利用可能な金額をクレジットサービス装置４００へ問い合わせる。投票受付部１３５は、場外投票所端末３００または購入者端末２００から要求された投票券を発券する。投票結果判定部１３６は、主催者装置６００からレース結果と配当の情報を受信し、当たり投票券への払戻金額を算出して記録する。払戻部１３７は、当たり投票券への払戻しのための振込を金融装置７００ｂへ指示する。売上出力部１３８は、クレジットカードの売上データを出力する。振込部１３９は、主催者収入分を納入するため、金融装置７００ｂに対して、金融装置７００ｄに主催者収入の振込を行なうよう、すなわち、投票業務委託者の口座（銀行Ｂ）から主催者の口座（銀行Ｄ）に主催者収入の振込を行なうよう指示する。返済部１４０は、融資された資金の返済のため、金融装置７００ｂに対して、金融装置７００ａに返済金額の振込を行なうよう、すなわち、投票業務委託者の口座（銀行Ｂ）からファイナンス会社の口座（銀行Ａ）に返済金額の振込を行なうよう指示する。
【００３６】
次に、投票装置１００の記憶部１２０に記憶される各データの例について説明する。
図４は、会員データ記憶部１２１に記憶される会員データのデータ構成例を示す図である。同図において、会員データは、クレジット投票会員の会員番号、氏名、クレジットカードのカード番号、クレジット投票の利用可能上限額、利用口座、入会日の情報を含むレコードからなる。入会日は、クレジット投票サービスに会員登録した日を示す。なお、利用可能上限額は、クレジットカードの与信限度枠の中で、投票に用いることができる金額を別に設定したものである。利用口座は、当たり投票券の払戻に使用する口座である。
【００３７】
図５は、会員データ記憶部１２１に記憶される会員数データのデータ構成例を示す図である。同図において、会員数データは、入会月と、当該入会月に新規にクレジット投票会員として入会した人数、当該入会月までの累計クレジット投票会員数の情報を示す。これは、予め記録しておくことでもよく、後述する予想投票金額算出時に、投票装置１００の需要予測部１３２が、会員データを参照し、各月が入会日であるレコード数を計測して各月の入会人数を得るとともに、その入会人数を累計して各月の累計クレジット投票会員数を得て生成してもよい。例えば、同図においては、２００８年２月には１１００人の新規会員が入会し、会員の累計は１９８００人となったことを示している。
【００３８】
図６は、スケジュール記憶部１２２に記憶される年間番組スケジュールデータのデータ構成例を示す図である。同図において、年間番組スケジュールデータは、開催場毎に、開催日、各開催日のレース数、各レースのグレード種別及び名称を対応付けた情報を示す。
例えば競馬の場合、グレード種別には、グレードレースとして、Ｇ（グレード）I、ＧII、ＧIIIがあり、非グレードレースとして平場レースがある。同様に、各公営競技ごとに、グレードレースとして、ＳＧ、決勝、準決勝などがあり、非グレードレースとして一般レースなどがある。
尚、図６において、番組スケジュール上に、「−」が記されている箇所は、レースが行なわれないことを示す。
【００３９】
図７及び図８は、会員売上実績記憶部１２４に記憶される会員売上実績データのデータ構成例を示す図である。図７は平日（祝日を除く月〜土曜日）の会員売上実績データを、図８は、休日（日曜、祝日）の会員売上実績データを示している。同図において、会員売上実績データは、グレード種別毎に、レース名・レース識別情報、平日／休日区分、開催場、過去のクレジット投票会員の投票人数の実績平均、及び、一人当たりの投票金額の実績平均を対応づけた情報を示す。
なお、平場レースについては、各競馬場における各月の、かつ平日／休日ごとに、１レースの参加クレジット会員人数と投票平均金額の平均値を、投票データ記憶部１２６に記憶されるクレジット投票会員の投票データ（後述）から求め、データを投入する。平場レースの投票データを月ごとに分けているのは、開催月によって繁忙期／閑散期があるためである。
【００４０】
また、サービス開始当初は、会員売上実績データが収集できないため、売上実績記憶部１２３に記憶されるクレジット投票会員以外の売上実績データから、会員売上実績データに対応する情報を得る。売上実績データは、グレード種別毎に、レース名・レース識別情報、平日／休日区分、開催場、全体あるいはクレジットカード払い以外の所定の支払方法による一人当たりの平均投票金額を対応づけた情報からなる。そして、予想売上算出時には、クレジット投票会員一人当たりの平均投票金額の代わりに、売上実績データ内の一人当たりの平均投票金額を使用し、クレジット投票会員投票人数の実績平均の代わりに、予め売上実績記憶部１２３に記憶されている予想のクレジット投票会員投票人数を使用する。
【００４１】
図９は、購入データ記憶部１２５に記憶される購入データのデータ構成例を示す図である。同図において、購入データは、会員番号及び日付と、当該日付における与信残額、購入金額、払戻金額及び利用可能金額を対応づけた情報を示す。与信残額は、クレジットサービス装置４００において与信処理を行った結果として受信した、クレジット投票サービスに利用可能な残額を示す。また、利用可能金額は、利用可能残額から購入金額を減算し、その日の払戻金額を加算した金額である。
【００４２】
図１０は、投票データ記憶部１２６に記憶される投票データのデータ構成例を示す図である。同図において、投票データは、会員番号、投票番号、投票内容、投票金額、投票日時を対応づけた情報を示す。投票内容は、開催場、レース番号、投票法（単勝式、連勝複式など）、馬番号あるいは枠組番号などの情報からなる。
【００４３】
次に、図１１〜図１７に示す、本実施の形態による投票システムのシーケンス図を用いて、投票システムの処理について説明する。
まず、投票装置１００のスケジュール記憶部１２２に本年の年間番組スケジュールデータを登録する。さらに、クレジット投票サービスが開始まもなく、売上実績の蓄積がない、あるいは、あっても少ない場合は、売上実績記憶部１２３に売上実績データを登録する。クレジット投票サービスが開始されてしばらくたち、クレジット投票サービスの売上実績が蓄積された後は、会員売上実績記憶部１２４に会員売上実績データを登録する。なお、会員データは以下のように随時登録を行なう。
【００４４】
［会員登録］
図１１は、会員登録処理のシーケンス図である。
クレジット投票会員の申込者は、購入者端末２００の入力部２２０により、投票装置１００から提供するクレジット投票会員登録サイトのＵＲＬ（Universal Resource Locator）へのアクセス指示を入力する。アクセスが成功すると、続いて申込者は、購入者端末２００の入力部２２０により、氏名、クレジットカードのカード番号、利用口座等の会員登録情報と、会員登録指示を入力する（ステップＳ１１）。投票装置１００の登録部１３１は、会員登録情報が設定された会員登録要求を受信すると（ステップＳ１２）、新たなクレジット投票会員の会員番号を生成する。登録部１３１は、会員登録情報と、生成した会員番号、入会日を設定した会員データのレコードを生成して、記憶部１２０に記憶されている会員データに追加登録すると（ステップＳ１３）、会員番号を購入者端末２００に通知し、表示させる（ステップＳ１４）。なお、会員データは、投票業務委託者にて、投票装置１００の図示しない入力手段により入力し、会員データ記憶部１２１に登録することでもよい。この場合、会員番号は例えば郵便等によって通知する。
【００４５】
続いて、クレジット投票の利用限度枠をクレジットサービス装置４００の記憶部４２０に登録する。これは、会員登録を行った投票装置１００が、会員データとして登録したクレジットカードのカード番号をクレジットサービス装置４００へ通知し、クレジット投票の利用限度枠の設定を要求することで（ステップＳ１５）、クレジットサービス装置４００において、受信したカード番号と、クレジット投票の利用限度枠とを対応付けた情報を記憶部４２０に登録することでもよく（ステップＳ１６）、クレジットカード会社にて、申込書などに記入された情報に基づいてクレジットサービス装置４００の図示しない入力手段によりデータ入力を行い、記憶部４２０に登録することでもよい。クレジット投票の利用限度枠は、申込者が決定することでもよく、予め決められた値を設定することでもよい。例えば、購入者端末２００から送信する会員登録情報に、申込者が入力したクレジット投票の利用限度枠の情報をさらに設定し、投票装置１００は、カード番号に併せて、受信したクレジット投票の利用限度枠の情報をクレジットサービス装置４００へ通知して、クレジット投票の利用限度枠の設定を要求する。
【００４６】
［資金準備］
図１２は、資金準備処理のシーケンス図である。
投票装置１００の需要予測部１３２は、レース開催前にクレジット投票の予想売上を算出し、算出した予想売上から融資額を決定して（ステップＳ２１）、ファイナンス会社へ融資を要求する。これは、例えば、月に一回など定期的に、次の月を融資額算出対象として自動的に行なうことでもよく、融資額算出対象の期間が入力された場合に、実行することでもよい。なお、需要予測部１３２による融資額の算出処理の詳細は後述する。融資額は、クレジットカード会社からの売上入金前に、主催者へ主催者収入を支払う場合は、予想売上の１００％にリスク分を上乗せした金額とし、売上入金後に、主催者へ主催者収入を支払場合は、予想売上のうち当たり投票券の購入者へ払戻す資金（例えば、払戻率が７５％の場合、予想売上の７５％）にリスク分を上乗せした金額とする。
【００４７】
投票装置１００の資金調達部１３３は、投票業務委託者の名称、需要予測部１３２が算出した融資額、及び、投票業務委託者の口座番号を設定した融資要求を融資業務装置５００に送信する（ステップＳ２２）。融資業務装置５００の融資要求受信部５２０は、受信した融資要求をディスプレイに表示したり、印刷するなどして出力する。ファイナンス会社は、出力された融資要求の審査等を行い、融資を決定した場合、融資業務装置５００に融資決定を入力する。これにより、融資業務装置５００の融資部５３０は、振込元であるファイナンス会社の口座番号（銀行Ａ）、振込先である投票業務委託者の口座番号（銀行Ｂ）、及び、融資額である振込金額を設定した振込指示を銀行Ａの金融装置７００ａへ送信する（ステップＳ２３）。銀行Ａの金融装置７００ａは、振込指示に従って、振込元の口座番号から振込先の口座番号へ融資額を振込む振込処理を実行すると、銀行Ｂの金融装置７００ｂへ融資業務装置５００から受信した振込指示を送信する（ステップＳ２４）。金融装置７００ｂは、受信した振込指示に従って、振込元の口座番号から振込先の口座番号へ融資額を振込む振込処理を実行する。
【００４８】
［クレジット投票］
図１３は、クレジット投票処理のシーケンス図である。
クレジット投票会員は、１日のうちに２回以上クレジット投票することが可能である。所定の期間、例えば、１ヶ月にクレジット投票により利用可能な金額は、カード会社に登録されているクレジット投票の利用限度枠に従うが、同じ日であれば、当たり投票券によって払戻しされた金額を次の投票券の購入に使用することができる。
【００４９】
＜購入者端末からの投票＞
クレジット投票会員は、購入者端末２００の入力部２２０により、クレジット投票サイトのＵＲＬへのアクセス指示を入力する。続いて、ユーザは、購入者端末２００の入力部２２０により、会員番号と、購入要求送信指示を入力する（ステップＳ３１）。投票装置１００の与信残額確認部１３４は、購入者端末２００から会員番号と購入要求を受信すると（ステップＳ３２、Ｓ３３）、与信残額確認部１３４は、購入データ記憶部１２５に、受信した会員番号と本日の日付が設定された購入データが記憶されているか否かを判断する（ステップＳ３４）。記憶されていない場合、与信残額確認部１３４は、会員番号が設定されている会員データのレコードからクレジットカードのカード番号を読み出し、読み出したカード番号の情報を設定した与信処理要求をクレジットサービス装置４００へ送信する（ステップＳ３５）。
【００５０】
クレジットサービス装置４００の与信処理部４３０は、与信処理要求を受信すると、記憶部４２０を参照し、与信処理要求に設定されているカード番号が会員マスタに登録されているか、カード番号に対応してクレジットカードが無効である情報が登録されていないか、などによりクレジットカードの正当性を判断し、さらに、前回の締め日以降のクレジット投票の利用額がクレジット投票の与信限度枠未満であるときには、与信処理成功とする（ステップＳ３６）。与信処理部４３０は、与信処理成功／不成功と、与信処理が成功した場合は、クレジット投票の利用限度枠から、前回の締め日以降のクレジット投票の利用額を減算した与信残額とを設定した与信処理結果通知を投票装置１００へ返送する（ステップＳ３７）。
【００５１】
投票装置１００の与信残額確認部１３４は、受信した与信処理結果通知が与信処理成功を示している場合は、会員番号、当該与信処理結果通知で示される与信残額、当該与信残額を設定した利用可能金額、及び、本日の日付を設定した購入データを購入データ記憶部１２５に書き込むとともに、この利用可能金額以内で投票受付可能である旨を購入者端末２００へ通知し、表示させる（ステップＳ３８）。なお、ステップＳ３４において、受信した会員番号と本日の日付が設定された購入データが記憶されていると判断した場合、クレジットサービス装置４００へ与信処理要求を行うことなく、その購入データから読み出した利用可能金額内で投票受付可能である旨を購入者端末２００へ通知し、表示させるステップＳ３８の処理を行う。
【００５２】
続いてクレジット投票会員は、購入者端末２００の入力部２２０により、投票内容及び投票金額と、発券要求の送信指示を入力する（ステップＳ３９）。投票装置１００の投票受付部１３５は、購入者端末２００から投票内容及び投票金額設定した発券要求を受信すると（ステップＳ４０）、投票金額の合計が、通知した利用可能金額以内であるときに販売を許可して購入を受付け、主催者装置６００に受信した発券要求を通知する（ステップＳ４１）。主催者装置６００の発券要求受信部６２０は、発券要求を受信すると投票番号を付与し、付与した投票番号を設定した発券応答を返送する（ステップＳ４２）。投票装置１００の投票受付部１３５は、発券応答を受信すると、受信した会員番号が設定されている購入データの購入金額を、発券要求で示される投票金額の合計を加算した金額に書き換えるとともに、当該購入データの利用可能金額を、投票金額の合計を減算した金額に書き替える。さらに、投票受付部１３５は、会員番号、投票番号、投票内容、投票金額、投票日時の情報を設定した投票データを生成して投票データ記憶部１２６に書き込む（ステップＳ４３）。投票受付部１３５は、受信した投票内容での投票を受付けた旨と投票番号を購入者端末２００へ通知し、表示させる（ステップＳ４４）。
【００５３】
なお、主催者装置６００の予想配当通知部６３０は、オッズを定期的にあるいは要求を受けたときに投票装置１００へ通知しており、投票装置１００は、購入者端末２００からのオッズの表示要求があったときや、投票番号を送信するときに併せて、投票装置１００へ最新のオッズの情報を通知し、表示させる。
【００５４】
＜場外投票所端末からの投票＞
クレジット投票会員である購入者は、場外投票所端末３００の入力部３２０により、クレジット投票である旨の指示を入力したのち、カード読取部３３０により、クレジットカードを読込ませる（ステップＳ３１）。場外投票所端末３００の制御部３７０は、カード読取部３３０が読み取ったクレジットカードのカード番号と購入要求を投票装置１００に送信する（ステップＳ３２）。投票装置１００の与信残額確認部１３４は、カード番号と購入要求を受信すると（ステップＳ３３）、受信したカード番号により、上記と同様に購入データが記憶されているか否かを判断するステップＳ３４以降の処理を行なう。なお、ステップＳ３９において、場外投票所端末３００は、投票内容及び金額をマークシートから読込むようにしてもよい。
【００５５】
［レース結果受信処理］
図１４は、レース結果受信処理のシーケンス図である。
レース終了後、主催者装置６００の結果通知部６４０は、各レースについての払戻対象及びその配当率を示すレース結果情報を投票装置１００へ通知する（ステップＳ５１）。投票装置１００の投票結果判定部１３６は、受信したレース結果情報で示される払戻対象と、投票データ記憶部１２６に記憶している投票データとの投票内容を照合して、払戻対象と同一の投票内容が設定されている投票データ特定する。そして、投票結果判定部１３６は、特定した投票データそれぞれについて、投票データに設定されている、投票内容に対応した購入金額と、受信したレース結果情報で示される、当該投票内容に対応した払戻率とから払戻金額を算出する。投票結果判定部１３６は、特定した投票データそれぞれについて、当該投票データと同じ会員番号が設定されている購入データを特定し、特定した購入データの払戻金額及び利用可能金額を、当該投票データに基づいて算出された払戻金額を加算した金額に書き換える（ステップＳ５２）。
【００５６】
図１５は、予想売上全額（１００％）に対する融資を受けた場合のレース終了以降の処理概要のシーケンス図を、図１６は、予想売上のうち払戻分（例えば、予想売上の７５％）に対する融資を受けた場合のレース終了以降の処理概要のシーケンスである。
【００５７】
図１５において、レース終了後にレース結果を受信すると、投票装置１００は、当たり投票券を購入したクレジット投票会員への払戻処理を行なう（ステップＳ６１）。さらに、投票装置１００は、開催期間終了後の所定の時間に、主催者への支払処理を行うとともに（ステップＳ６２）、クレジット投票の売上データを生成して（ステップＳ６３）、クレジットサービス装置４００に送信する（ステップＳ６４）。ステップＳ６１におけるクレジット投票会員への払戻、及び、ステップＳ６２における主催者への支払は、予想売上全額（１００％）に対して予め融資されていた資金に基づいて行なうものである。そして、レースから数日経過した加盟店への支払日に、クレジットサービス装置４００において加盟店への支払処理が行われ、クレジット投票の売上分が投票業務委託者へ支払われる（ステップＳ６５）。投票業務委託者へクレジット投票の売上が入金されると、投票装置１００によりファイナンス会社へ融資額全額の返済処理が行われる（ステップＳ６６）。その後、クレジットサービス装置４００から、クレジット投票会員へクレジットカード利用分の請求処理が行われる（ステップＳ６７）。なお、ステップＳ６７のクレジット投票会員への請求処理は、ステップＳ６５の前に行なうことでもよい。
【００５８】
図１６において、レース終了後にレース結果を受信すると、投票装置１００は、当たり投票券を購入したクレジット投票会員への払戻処理を行なう（ステップＳ７１）。このクレジット投票会員への払戻は、予想売上のうち払戻分（例えば、予想売上の７５％）に対して予め融資されていた資金に基づいて行なうものである。さらに、投票装置１００は、開催期間終了後の所定の時間に、クレジット投票の売上データを生成して（ステップＳ７２）、クレジットサービス装置４００に送信する（ステップＳ７３）。そして、レースから数日経過した加盟店への支払日に、クレジットサービス装置４００において加盟店への支払処理が行われて、クレジット投票の売上分が投票業務委託者へ支払われ（ステップＳ７４）、さらに、クレジットサービス装置４００において、クレジット投票会員へクレジットカード利用分の請求処理が行われる（ステップＳ７５）。投票業務委託者へクレジット投票の売上が入金されると、投票装置１００により主催者への支払処理が行われるとともに（ステップＳ７６）、ファイナンス会社へ融資額全額の返済処理が行われる（ステップＳ７７）。なお、ステップＳ７５のクレジット投票会員への請求処理は、ステップＳ７４の前に行なうことでもよい。
【００５９】
以下、図１５、図１６における各処理の詳細を説明する。
【００６０】
［払戻処理］
図１７は、図１５のステップＳ６１、図１６のステップＳ７１の払戻処理における詳細なシーケンス図である。
【００６１】
＜場外投票所端末による払戻＞
開催期間中、口座振替により払戻しが実行されるまでの間に、クレジット投票会員は場外投票所端末により払戻金を受領することができる。
クレジット投票会員は、場外投票所端末３００の入力部３２０により、クレジット投票の払戻である旨の指示を入力した後、カード読取部３３０により、クレジットカードを読み込ませる（ステップＳ８１）。投票装置１００の払戻部１３７は、会員データ記憶部１２１に記憶されている会員データから、場外投票所端末３００より受信したカード番号が設定されているレコードを特定して会員番号を読み出すと、購入データ記憶部１２５に記憶されている購入データの中から、読み出した会員番号、本日の日付が設定されている購入データを特定する（ステップＳ８２、Ｓ８３）。払戻部１３７は、特定した購入データから読み出した払戻金額を場外投票所端末３００に通知すると、購入データ記憶部１２５に、特定された購入データに対応させて払戻済の情報を書き込む（ステップＳ８４）。場外投票所端末３００の制御部３７０は、返金部３６０へ受信した払戻金額の現金の払出しを指示する（ステップＳ８５）。
【００６２】
＜口座振込による払戻＞
開催期間の全てのレースが終了すると、投票業務委託者は、当たり投票券を購入したクレジット投票会員の口座へ払戻金を振り込む。
開催期間が終了すると、投票装置１００の払戻部１３７は、購入データ記憶部１２５に記憶されている購入データの中から、払戻済の情報が設定されておらず、かつ、払戻金額に１円以上が設定されている購入データを特定する（ステップＳ９１）。そして、特定した購入データそれぞれについて、当該購入データから会員番号を読み出すと、会員データ記憶部１２１に記憶されている会員データから、読み出した会員番号が設定されているレコードを特定し、この特定したレコードから口座番号を読み出す。払戻部１３７は、特定した購入データそれぞれについて、振込元に投票業務委託者の口座番号（銀行Ｂ）を、振込先に当該購入データと同じ会員番号が設定された会員データより読み出した、クレジット投票会員の口座番号（銀行Ｃ）を、振込金額に当該購入データから読み出した払戻金額を設定した振込指示を生成すると、銀行Ｂの金融装置７００ｂへ送信する（ステップＳ９２）。払戻部１３７は、購入データ記憶部１２５に、特定した購入データに対応させて払戻済の情報を書き込む。
【００６３】
銀行Ｂの金融装置７００ｂは、振込指示に従って、投票業務委託者の口座から、当たり投票券を購入した各クレジット投票会員の口座へ、払戻金額を振込む振込処理を実行すると、各クレジット投票会員の口座を保有する銀行Ｃの金融装置７００ｃへ投票装置１００から受信した振込指示を送信する（ステップＳ９３）。各金融装置７００ｃは、受信した振込指示に従って、振込元の口座番号から振込先の口座番号へ払戻金額を振込む振込処理を実行する。
【００６４】
［主催者への支払］
図１５のステップＳ６２、図１６のステップＳ７６の主催者への支払処理の詳細を説明する。
投票装置１００の振込部１３９は、購入データ記憶部１２５に記憶されている購入データの中から、前回の主催者支払のための売上計上日以降の日付が設定されている購入データを特定し、特定した購入データそれぞれに設定されている購入金額を全て合算する。振込部１３９は、振込元に投票業務委託者の口座番号（銀行Ｂ）を、振込先に主催者の口座番号（銀行Ｄ）を、振込金額に、購入金額の合算と主催者への支払率とを乗算した主催者収入を設定した振込指示を生成し、銀行Ｂの金融装置７００ｂへ送信する。
銀行Ｂの金融装置７００ｂは、振込指示に従って、投票業務委託者の口座から、主催者の口座へ主催者収入を振込む振込処理を実行すると、主催者の口座を保有する銀行Ｄの金融装置７００ｄへ投票装置１００から受信した振込指示を送信する。各金融装置７００ｄは、受信した振込指示に従って、振込元の口座番号から振込先の口座番号へ主催者収入を振込む振込処理を実行する。
【００６５】
［売上データの生成］
図１５のステップＳ６３及びＳ６４、図１６のステップＳ７２及びＳ７３の売上データ生成及び送信処理の詳細を説明する。
開催期間の終了後、投票装置１００の売上出力部１３８は、購入データ記憶部１２５に記憶されている購入データの中から、前回の売上データ生成日以降の日付が設定されている購入データを特定する。そして、特定した購入データそれぞれについて、会員データ記憶部１２１に記憶されている会員データから、特定した購入データと同じ会員番号が設定されているレコードを特定し、この特定したレコードからクレジットカードのカード番号を読み出す。売上出力部１３８は、特定した購入データそれぞれについて、投票業務委託者の加盟店コード、購入データから読み出した購入金額及び日付と、当該購入データと同じ会員番号が設定されている会員データから読み出したクレジットカードのカード番号と、投票券購入の売上である旨を設定した売上データを生成し、クレジットサービス装置４００へ送信する。クレジットサービス装置４００の売上記録部４４０は、受信した売上データを記憶部４２０に書き込む。このとき、売上記録部４４０は、記憶部４２０に記憶している各カード番号に対応したクレジット投票の現在の利用額を、売上データにより示される当該カード番号についての購入金額を加算した金額に書き換える。
【００６６】
［クレジットカード会社から投票業務委託者への入金］
図１５のステップＳ６５、図１６のステップＳ７６の主催者への支払処理の詳細を説明する。
クレジットカード会社は、所定のクレジットカードサービス加盟店への支払日に、売上データに基づく売上金額を投票業務委託者へ支払う。
クレジットサービス装置４００の振込部４５０は、前記の支払日以降に記憶部４２０に記憶された売上データのうち、投票業務委託者の加盟店コードと、前回の加盟店への支払日以降の日付が設定されている売上データを特定し、特定した各売上データで示される購入金額を合算した支払金額を算出する。振込部４５０は、振込元にクレジットカード会社の口座番号（銀行Ｅ）を、振込先に投票業務委託者の口座番号（銀行Ｂ）を、振込金額に算出した支払金額を設定した振込指示を生成し、銀行Ｅの金融装置７００ｅへ送信する。
銀行Ｅの金融装置７００ｅは、振込指示に従って、クレジットカード会社の口座から、投票業務委託者の口座へ、投票業務委託者におけるクレジットカード払いの売上を振込む振込処理を実行すると、投票業務委託者の口座を保有する銀行Ｂの金融装置７００ｂへ投票装置１００から受信した振込指示を送信する。銀行Ｂの金融装置７００ｂは、受信した振込指示に従って、振込元の口座番号から振込先の口座番号へクレジットカード払いの売上を振込む振込処理を実行する。
【００６７】
［ファイナンス会社への返済］
図１５のステップＳ６６、図１６のステップＳ７７の主催者への支払処理の詳細を説明する。
投票業務委託者は、投票装置１００に融資の返済を入力する。投票装置１００の返済部１４０は、振込元に投票業務委託者の口座番号（銀行Ｂ）を、振込先にファイナンス会社の口座番号（銀行Ａ）を、振込金額に返済金額を設定した振込指示を生成し、銀行Ｂの金融装置７００ｂへ送信する。銀行Ｂの金融装置７００ｂは、振込指示に従って、投票業務委託者の口座から、ファイナンス会社の口座へ返済金額を振込む振込処理を実行すると、ファイナンス会社の口座を保有する銀行Ａの金融装置７００ａへ投票装置１００から受信した振込指示を送信する。銀行Ａの金融装置７００ａは、受信した振込指示に従って、振込元の口座番号から振込先の口座番号へ主催者収入を振込む振込処理を実行する。
【００６８】
［クレジット投票会員の銀行口座からの購入金額の引落し］
図１５のステップＳ６７、図１６のステップＳ７５のクレジットカード利用請求処理の詳細を説明する。
クレジットカード会社は、所定の引落日に、各クレジット投票会員の銀行口座から、売上データに基づく購入金額の引落しを行なう。
クレジットサービス装置４００の引落部４６０は、記憶部４２０に記憶された売上データのうち、まだ引き落としを行なっていない売上データを特定し、特定した各売上データをカード番号毎にまとめる。そして、カード番号毎に、当該カード番号が設定されている売上データの購入金額を合計して引落金額を算出するとともに、当該カード番号に対応した利用口座の口座番号を読み出すと、振込元にクレジット投票会員の利用口座の口座番号（銀行Ｃ）を、振込先にクレジットカード会社の口座番号（銀行Ｅ）を、振込金額に引落金額を設定した振込指示を生成し、銀行Ｃの金融装置７００ｃへ送信する。引落金額には、投票券の購入金額が含まれることになる。
銀行Ｃの金融装置７００ｃは、振込指示に従って、クレジット投票会員の口座から、クレジットカード会社の口座へ、引落金額を振込む振込処理を実行すると、クレジットカード会社の口座を保有する銀行Ｅの金融装置７００ｅへ投票装置１００から受信した振込指示を送信する。金融装置７００ｅは、受信した振込指示に従って、振込元の口座番号から振込先の口座番号へクレジットカード払いの売上を振込む振込処理を実行する。
【００６９】
［融資額の算出］
続いて、図１２のステップＳ２１における、投票装置１００の需要予測部１３２による融資額の算出処理の詳細を以下に示す。
需要予測部１３２は、借り入れ対象月における各競馬場のクレジット投票の予想売上額を算出し、それらを合計して当該月におけるクレジット投票全体の予想売上額を算出する。例えば、Ｙ年Ｘ月におけるα競馬場の予想売上額は、以下の式により算出される。なお、平日・平場は平日開催の平場レースを、平日・グレードは平日開催のグレードレースを、休日・平場は休日開催の平場レースを、休日・グレードは休日開催のグレードレースを示す。
【００７０】
Ａ＝Ａ１＋Ａ２＋Ａ３＋Ａ４  …式（１）
Ａ：Ｙ年Ｘ月のα競馬場の予想売上額
Ａ１：Ｙ年Ｘ月のα競馬場の平日・平場の予想売上額
Ａ２：Ｙ年Ｘ月のα競馬場の平日・グレードの予想売上額
Ａ３：Ｙ年Ｘ月のα競馬場の休日・平場の予想売上額
Ａ４：Ｙ年Ｘ月のα競馬場の休日・グレードの予想売上額
【００７１】
Ａ１＝｛（Ｂ１×Ｃ１）＋（Ｂ１×Ｄ１）｝×Ｅ１  …式（２）
Ｂ１：平日・平場の１レース分の１会員あたりの投票金額
Ｃ１：平日・平場の投票会員参加数
Ｄ１：平日・平場の投票会員増加見込み数
Ｅ１：平日・平場のレース数
【００７２】
Ａ２＝｛（Ｂ２×Ｃ２）＋（Ｂ２×Ｄ２）｝×Ｅ２  …式（３）
Ｂ２：平日・グレードの１レース分の１会員あたりの投票金額
Ｃ２：平日・グレードの投票会員参加数
Ｄ２：平日・グレードの投票会員増加見込み数
Ｅ２：平日・グレードのレース数
【００７３】
Ａ３＝｛（Ｂ３×Ｃ３）＋（Ｂ３×Ｄ３）｝×Ｅ３  …式（４）
Ｂ３：休日・平場の１レース分の１会員あたりの投票金額
Ｃ３：休日・平場の投票会員参加数
Ｄ３：休日・平場の投票会員増加見込み数
Ｅ３：休日・平場のレース数
【００７４】
Ａ４＝｛（Ｂ４×Ｃ４）＋（Ｂ４×Ｄ２）｝×Ｅ４  …式（５）
Ｂ４：休日・グレードの１レース分の１会員あたりの投票金額
Ｃ４：休日・グレードの投票会員参加数
Ｄ４：休日・グレードの投票会員増加見込み数
Ｅ４：休日・グレードのレース数
【００７５】
なお、平日・平場のレース数Ｅ１、平日・グレードのレース数Ｅ２、休日・平場のレース数Ｅ３、休日・グレードのレース数Ｅ４はそれぞれ、年間番組スケジュールデータから抽出する。
また、平日・平場の投票会員増加見込み数Ｄ１、平日・グレードの投票会員増加見込み数Ｄ２、休日・平場の投票会員増加見込み数Ｄ３、休日・グレードの投票会員増加見込み数Ｄ４は、会員売上実績データから平日・平場、平日・グレード、休日・平場、休日・グレードそれぞれにおける会員の参加率をそれぞれ算出し、それを、翌月の会員増加見込み（会員数データを用いて算出する増加率を基に予測した値）にそれぞれ掛け合わせて算出する。
【００７６】
需要予測部１３２は、上記式（１）〜（５）により、借り入れ対象月における各競馬場の予想売上額を算出してそれらを合計し、クレジット投票全体の予想売上額を算出すると、クレジット投票の売上額を全て借り入れる場合、すなわち、クレジットカード会社からクレジットカード払いによる売上が入金される前に、当たり投票券の払戻しを行なうとともに主催者へ主催者収入分を支払う場合は式（６）により、クレジット投票の売上額のうち当たり投票券の払戻分のみを借り入れる場合、すなわち、クレジットカード会社からクレジットカード払いによる売上が入金された後に、主催者へ主催者収入分を支払う場合は式（７）により、借り入れ対象月の融資額を算出する。
【００７７】
（Ｘ月の需要予測）＝（Ｘ月のクレジット投票全体の予想売上額Ａ）×（リスク係数）  …式（６）
【００７８】
（Ｘ月の需要予測）＝（Ｘ月のクレジット投票全体の予想売上額Ａ）×（払戻率）×（リスク係数）  …式（７）
【００７９】
なお、リスク係数は、実際の売上額が予想売上額を上回った場合に、資金ショートになることを防ぐための係数であり、１より大きな値とする。リスク係数は、１．０５など、予め決められた所定の値を使用することでもよく、過去の予想売上額（または払戻金額）と、実際の売上額（または払戻金額）との割合を基に、月単位（または年単位）で動的に変化するものであってもよい。
【００８０】
投票装置１００の資金調達部１３３は、投票業務委託者の名称、上記により需要予測部１３２が算出した融資額、及び、投票業務委託者の口座番号を設定した融資要求を融資業務装置５００へ送信する。
【００８１】
以下、具体的な融資額の算出例について示す。ここでは、Ｔ競馬場の２００８年５月開催レースに必要な資金の需要予測について説明する。
【００８２】
＜Ｔ競馬場の平日・平場の予想売上額Ａ１の算出＞
まず、需要予測部１３２は、式（２）により、２００８年５月のＴ競馬場の平日・平場の予想売上額Ａ１を算出する。
【００８３】
需要予測部１３２は、スケジュール記憶部１２２の年間番組スケジュールデータ（図６）から、Ｎ競馬場の２００８年５月の平日・平場のレース数Ｅ２、すなわち、１０日（土）の9レース、１７日（土）の11レース、２４日（土）の10レース、３１日（土）の11レースを合計した「41」レースを得る。
【００８４】
さらに、需要予測部１３２は、会員売上実績記憶部１２４に記憶されている会員売上実績データ（図７）から、グレード種別「平場レース」、レース名・レース識別情報「平場レース５月／平日平均」、平日／休日区分「平日」、開催場「Ｔ」に対応したクレジット投票会員一人あたり投票金額「￥1,300」を、平日・平場の１レース分の１会員あたりの投票金額Ｂ１として、クレジット投票会員投票人数「5000」人を、平日・平場の投票会員参加数Ｃ１として読み出す。
【００８５】
続いて、需要予測部１３２は、平日・平場の投票会員増加見込み数Ｄ１を算出する。平日・平場の投票会員増加見込み数Ｄ１は、（新規会員数の推測値）×（平日・平場の参加率）により算出する。
そこで、需要予測部１３２は、会員データ記憶部１２１に記憶されている会員数データ（図５）から、昨年の同月、つまり２００７年５月の新規クレジット投票会員入会人数「800」人を読み出し、これを、２００８年５月の新規会員数の推測値として使用する。
次に、需要予測部１３２は、会員数データ（図５）から、２００８年５月の累計会員数「22,000」人を読み出す。上記において会員売上実績記憶部１２４から読み出した、平日・平場の投票会員参加数Ｃ１は「5000」人であるから、需要予測部１３２は、以下のように参加率を算出する。
【００８６】
（平日・平場参加率）
＝（平日・平場の投票会員参加数Ｃ１）／（２００８年５月の累計会員数）
＝5,000／22,000＝22％
【００８７】
つまり、新規入会が予測されるクレジット投票会員800人についても、その22％が平日・平場のレースに参加すると予測できる。
需要予測部１３２は、平日・平場の投票会員増加見込み数Ｄ１を、以下のように算出する。
【００８８】
（平日・平場の投票会員増加見込み数Ｄ１）
＝（新規会員数の推測値）×（平日・平場の参加率）＝800×22％＝176人
【００８９】
よって、需要予測部１３２は、式（２）にりより、２００８年５月のα競馬場の平日・平場の予想売上額Ａ１を以下のように算出する。
【００９０】
Ａ１＝｛（Ｂ１×Ｃ１）＋（Ｂ１×Ｄ１）｝×Ｅ１
＝（1,300×5,000＋1,300×176）×41＝275,880,800（円）
【００９１】
＜Ｔ競馬場の平日・グレードの予想売上額Ａ２の算出＞
次に、需要予測部１３２は、式（３）により、２００８年５月のＴ競馬場の平日・平場の予想売上額Ａ２を算出する。
【００９２】
需要予測部１３２は、スケジュール記憶部１２２の年間番組スケジュールデータ（図６）を参照し、Ｎ競馬場の２００８年５月の平日開催のグレードレースは「ＫＯ杯」のみであることから、平日・グレードのレース数Ｅ２として「1」レースを得る。
【００９３】
需要予測部１３２は、会員売上実績記憶部１２４に記憶されている会員売上実績データ（図７）から、平日開催の全グレードレースのクレジット投票会員投票人数を読み出し、その平均を平日・グレードの投票会員参加数Ｃ２として、平日開催の全グレードレースの１レース分の１会員あたりの投票金額を読み出し、その平均を平日・グレードの１レース分の１会員あたりの投票金額Ｂ２とする。ここでは、平日・グレードのレースは「ＫＯ杯」１レースのみのため、需要予測部１３２は、会員売上実績記憶部１２４に記憶されている会員売上実績データ（図７）から、レース名・レース識別情報「ＫＯ杯」、平日／休日区分「平日」、開催場「Ｔ」に対応したクレジット投票会員投票人数「7000」人を、平日・グレードの投票会員参加数Ｃ２として、クレジット投票会員一人あたり投票金額「￥7,000」を、平日・グレードの１レース分の１会員あたりの投票金額Ｂ２として読み出す。
【００９４】
続いて、需要予測部１３２は、平日・グレードの投票会員増加見込み数Ｄ２を算出する。平日・グレードの投票会員増加見込み数Ｄ２は、（新規会員数の推測値）×（平日・グレードの参加率）により算出する。
【００９５】
（平日・グレード参加率）
＝（平日・グレードの投票会員参加数Ｃ２）／（２００８年５月の累計会員数）
＝7,000／22,000＝32％
【００９６】
需要予測部１３２は、平日・グレードの投票会員増加見込み数Ｄ１を、以下のように算出する。
【００９７】
（平日・グレードの投票会員増加見込み数Ｄ２）
＝（新規会員数の推測値）×（平日・グレードの参加率）＝800×32％＝256人
【００９８】
つまり、新規入会が予測されるクレジット投票会員800人についても、その32％が平日・平場のレースに参加すると予測できる。
よって、需要予測部１３２は、式（３）により、２００８年５月のα競馬場の平日・グレードの予想売上額Ａ２を以下のように算出する。
【００９９】
Ａ２＝｛（Ｂ２×Ｃ２）＋（Ｂ２×Ｄ２）｝×Ｅ２
＝（7,000×7,000＋7,000×256）×1＝50,792,000（円）
【０１００】
＜Ｔ競馬場の休日・平場の予想売上額Ａ３の算出＞
次に、需要予測部１３２は、式（４）により、２００８年５月のＴ競馬場の休日・平場の予想売上額Ａ１を算出する。
【０１０１】
需要予測部１３２は、スケジュール記憶部１２２の年間番組スケジュールデータ（図６）から、Ｎ競馬場の２００８年５月の休日・平場のレース数Ｅ２、すなわち、３日（土・祝）の11レース、４日（日）の12レース、１１日（日）の11レース、１８日（日）の11レース、２５日（日）の11レースを合計した「56」レースを得る。
【０１０２】
さらに、需要予測部１３２は、会員売上実績記憶部１２４に記憶されている会員売上実績データ（図８）から、グレード種別「平場レース」、レース名・レース識別情報「平場レース５月／休日平均」、平日／休日区分「休日」、開催場「Ｔ」に対応したクレジット投票会員一人あたり投票金額「￥2,000」を、休日・平場の１レース分の１会員あたりの投票金額Ｂ３として、クレジット投票会員投票人数「4000」人を、休日・平場の投票会員参加数Ｃ３として読み出す。
【０１０３】
続いて、需要予測部１３２は、休日・平場の投票会員増加見込み数Ｄ３を算出する。休日・平場の投票会員増加見込み数Ｄ３は、（新規会員数の推測値）×（休日・平場の参加率）により算出する。
【０１０４】
（休日・平場参加率）
＝（休日・平場の投票会員参加数Ｃ３）／（２００８年５月の累計会員数）
＝4,000／22,000＝18％
【０１０５】
つまり、新規入会が予測されるクレジット投票会員800人についても、その18％が休日・平場のレースに参加すると予測できる。
需要予測部１３２は、休日・平場の投票会員増加見込み数Ｄ３を、以下のように算出する。
【０１０６】
（休日・平場の投票会員増加見込み数Ｄ３）
＝（新規会員数の推測値）×（休日・平場の参加率）＝800×18％＝144人
【０１０７】
よって、需要予測部１３２は、式（４）にりより、２００８年５月のα競馬場の休日・平場の予想売上額Ａ３を以下のように算出する。
【０１０８】
Ａ３＝｛（Ｂ３×Ｃ３）＋（Ｂ３×Ｄ３）｝×Ｅ３
＝（2,000×4,000＋2,000×144）×56
＝464,128,000（円）
【０１０９】
＜Ｔ競馬場の休日・グレードの予想売上額Ａ４の算出＞
次に、需要予測部１３２は、式（５）により、２００８年５月のＴ競馬場の休日・平場の予想売上額Ａ４を算出する。
【０１１０】
需要予測部１３２は、スケジュール記憶部１２２の年間番組スケジュールデータ（図６）を参照し、Ｎ競馬場の２００８年５月の休日開催のグレードレースは、「ＡＯＢ賞」、「Ｎマイル」、「Ｖマイル」、「ＯＫＳ」であることから、休日・グレードのレース数Ｅ４として「４」レースを得る。
【０１１１】
需要予測部１３２は、会員売上実績記憶部１２４に記憶されている会員売上実績データ（図７）から、休日開催の全グレードレースのクレジット投票会員投票人数を読み出し、その平均を休日・グレードの投票会員参加数Ｃ４として、休日開催の全グレードレースの１レース分の１会員あたりの投票金額を読み出し、その平均を休日・グレードの１レース分の１会員あたりの投票金額Ｂ４とする。
つまり、需要予測部１３２は、グレードレース「ＡＯＢ賞」、「Ｎマイル」、「Ｖマイル」、「ＯＫＳ」それぞれのクレジット投票会員投票人数の平均、（12,000＋13,500＋18,000＋9,000）／4＝13,125（人）を算出し、休日・グレードの投票会員参加数Ｃ４とする。同様に、需要予測部１３２は、グレードレース「ＡＯＢ賞」、「Ｎマイル」、「Ｖマイル」、「ＯＫＳ」それぞれのクレジット投票会員一人あたり投票金額の平均、（12,000＋15,000＋11,500＋8,000）／4＝11,625（円）を算出し、休日・グレードの１レース分の１会員あたりの投票金額Ｂ４とする。
【０１１２】
続いて、需要予測部１３２は、休日・グレードの投票会員増加見込み数Ｄ４を算出する。休日・グレードの投票会員増加見込み数Ｄ４は、（新規会員数の推測値）×（休日・グレードの参加率）により算出する。
【０１１３】
（休日・グレード参加率）
＝（休日・グレードの投票会員参加数Ｃ４）／（２００８年５月の累計会員数）
＝13,125／22,000＝60％
【０１１４】
需要予測部１３２は、休日・グレードの投票会員増加見込み数Ｄ４を、以下のように算出する。
【０１１５】
（休日・グレードの投票会員増加見込み数Ｄ４）
＝（新規会員数の推測値）×（休日・グレードの参加率）＝800×60％＝480人
【０１１６】
つまり、新規入会が予測されるクレジット投票会員800人についても、その60％が休日・平場のレースに参加すると予測できる。
よって、需要予測部１３２は、式（５）により、２００８年５月のα競馬場の休日・グレードの予想売上額Ａ４を以下のように算出する。
【０１１７】
Ａ４＝｛（Ｂ４×Ｃ４）＋（Ｂ４×Ｄ４）｝×Ｅ４
＝（11,625×13,125＋11,625×480）×４
＝632,632,500（円）
【０１１８】
＜融資額の算出＞
以上より、需要予測部１３２は、式（１）、式（７）を用いて、Ｔ競馬場の５月開催レースに必要な資金の需要予測を算出する。ただし、ここでは、クレジット投票の売上分のうち払戻金のみ借り入れを行い、その払戻率を７５％、リスク係数を１．０５とする。クレジット投票の売上分全額の借り入れを行なう場合は、式（６）を用いるため、払戻率は乗算しない。
【０１１９】
（５月の需要予測）＝（Ａ１＋Ａ２＋Ａ３＋Ａ４）×（払戻率）×（リスク係数）
＝（275,880,800＋50,792,000＋464,128,000＋1,423,433,300）×0.75×1.05
＝1,120,953,723
【０１２０】
需要予測部１３２は、同様の処理により各競馬場について算出した５月の需要予測を合計して、融資額を算出する。
【０１２１】
なお、上記により示した需要予測は一例であり、他の需要予測を用いることもできる。予測を行うにあたり、より望ましい方法としては、以下がある。
例えば、過去にレースが実施された日の天気を情報として会員売上実績記憶部１２４に蓄積しておくとともに、天気予報等に基づく、需要予測対象のレースが実施される日の天気の情報を年間番組スケジュールデータの各開催日と対応づけてスケジュール記憶部１２２に記憶しておく。そして、「天気」の違いに対応付けられた係数を需要予測に乗算するなど、天気を考慮した計算式による需要予測を算出することで、予測精度があがる。
【０１２２】
あるいは、上記においては、既存会員と、増加分会員が投票に用いる金額が同額という前提のもとで算出しているが、新規会員（増加分会員）の投票予想金額を、１レース分の１会員あたりの投票金額の実績に１以下の所定の係数を乗算するなどして、既存会員よりも少なく見積もってもよい。
【０１２３】
また、次月の会員増加の予測については、前年の同月における新規クレジット投票サービス入会人数あるいは入会増加率をそのまま予測値として適用してもよく、また、月ごとの会員増加率から、統計処理によって算出してもよい。
【０１２４】
また、平日・平場のレース数Ｅ１、平日・グレードのレース数Ｅ２、休日・平場のレース数Ｅ３、休日・グレードのレース数Ｅ４は、年間番組スケジュールデータを元に抽出した数であり、単純に数を数える方法のほか、（１）平日開催か休日開催かで分類、（２）（１）の結果に対して、グレードか平場かの条件で分類し、その数を算出するようにしてもよい。
【０１２５】
１日単位でみると、複数レースがあるため平準化され、クレジット投票の売上からの払戻率は７５％に限りなく近づくが、不慮の事象に対応するために上述するリスク係数を使用することで、資金ショートを回避している。なお、主催者から、１日単位のレース開催場別、曜日別、グレードレース開催の有無に対応した投票金額、投票人数のデータ（現金投票者を含む全体が母数となる）を入手して、本クレジット投票サービスの投票結果データ（クレジット投票者のみが母数となる）と比較することにより、クレジット投票が全体の売上の２５％を超過するかどうかがわかる。そこで、超過ケース時期を予測し、予測される超過投票分の７５％を払戻準備金に上乗せして資金ショートを解決することができる。
【０１２６】
なお、上記処理において、会員番号の代わりに、クレジットカードのカード番号を使用することも可能であり、会員番号とクレジットカードのカード番号とが同一であってもよい。
また、上記においては、レースの種類及びレース開催日単位で予想売上額を算出しているが、レース毎に予想売上額を算出するようにしてもよく、レース開催日単位で予想売上額を算出するようにしてもよい。
【０１２７】
なお、上述の投票装置１００、購入者端末２００、場外投票所端末３００、融資業務装置５００、クレジットサービス装置４００、主催者装置６００、金融装置７００は、内部にコンピュータシステムを有している。そして、投票装置１００の処理部１３０、購入者端末２００の処理部２４０、場外投票所端末３００の制御部３７０、融資業務装置５００の融資要求受信部５２０及び融資部５３０、クレジットサービス装置４００の与信処理部４３０、売上記録部４４０、振込部４５０及び引落部４６０、主催者装置６００の発券要求受信部６２０、予想配当通知部６３０及び結果通知部６４０、金融装置７００の取引処理部７２０の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【０１２８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１２９】
なお、本発明は、上記において説明した実施形態に限定されるものではなく、その主旨を逸脱しない範囲において種々変更可能であり、それらも本発明の範囲内に包含されるものであることは言うまでもない。
【図面の簡単な説明】
【０１３０】
【図１】本発明の実施形態による投票システムを用いた投票サービスの業務の流れを説明するための図である。
【図２】同実施形態による投票システムの全体構成図である。
【図３】同実施形態による投票装置の機能ブロック図である。
【図４】同実施形態による会員データのデータ構成例を示す図である。
【図５】同実施形態による会員数データのデータ構成例を示す図である。
【図６】同実施形態による番組スケジュールデータのデータ構成例を示す図である。
【図７】同実施形態による会員売上実績データのデータ構成例を示す図である。
【図８】同実施形態による会員売上実績データのデータ構成例を示す図である。
【図９】同実施形態による購入データのデータ構成例を示す図である。
【図１０】同実施形態による投票データのデータ構成例を示す図である。
【図１１】同実施形態による投票システムにおける会員登録処理のシーケンス図である。
【図１２】同実施形態による投票システムにおける資金準備処理のシーケンス図である。
【図１３】同実施形態による投票システムにおけるクレジット投票処理のシーケンス図である。
【図１４】同実施形態による投票システムにおけるレース結果受信処理のシーケンス図である。
【図１５】同実施形態による投票システムにおけるレース終了以降の概要シーケンス図である。
【図１６】同実施形態による投票システムにおけるレース終了以降の概要シーケンス図である。
【図１７】同実施形態による投票システムにおける払戻処理のシーケンス図である。
【符号の説明】
【０１３１】
１００…投票装置
１１０…通信部
１２０…記憶部
１２１…会員データ記憶部
１２２…スケジュール記憶部
１２３…売上実績記憶部
１２４…会員売上実績記憶部
１２５…購入データ記憶部
１２６…投票データ記憶部
１３０…処理部
１３１…登録部
１３２…需要予測部
１３３…資金調達部
１３４…与信残額確認部
１３５…投票受付部
１３６…投票結果判定部
１３７…払戻部
１３８…売上出力部
１３９…振込部
１４０…返済部
２００…購入者端末
２１０…通信部
２２０…入力部
２３０…表示部
２４０…処理部
３００…場外投票所端末
３１０…通信部
３２０…入力部
３３０…カード読取部
３４０…表示部
３５０…発券部
３６０…返金部
３７０…制御部
４００…クレジットサービス装置
４１０…通信部
４２０…記憶部
４３０…与信処理部
４４０…売上記録部
４５０…振込部
４６０…引落部
５００…融資業務装置
５１０…通信部
５２０…融資要求受信部
５３０…融資部
６００…主催者装置
６１０…通信部
６２０…発券要求受信部
６３０…予想配当通知部
６４０…結果通知部
７００、７００ａ、７００ｂ、７００ｃ…金融装置
７１０…通信部
７２０…取引処理部
９０１、９０２、９０３…ネットワーク
【図１】
2010086058.tif 000003
【図２】
2010086058.tif 000004
【図３】
2010086058.tif 000005
【図４】
2010086058.tif 000006
【図５】
2010086058.tif 000007
【図６】
2010086058.tif 000008
【図７】
2010086058.tif 000009
【図８】
2010086058.tif 000010
【図９】
2010086058.tif 000011
【図１０】
2010086058.tif 000012
【図１１】
2010086058.tif 000013
【図１２】
2010086058.tif 000014
【図１３】
2010086058.tif 000015
【図１４】
2010086058.tif 000016
【図１５】
2010086058.tif 000017
【図１６】
2010086058.tif 000018
【図１７】
2010086058.tif 000019